(57)【要約】　　　（修正有）【課題】自動車座席の背当て部のための傾斜調節金具であって、外側周囲に有歯部を有した円板と、この円板の有歯部と噛み合う有歯部を有した戻り止めと係止カムにより構成される。傾斜調節金具を、傾倒モーメントの無い軸受部が得られるように形成することである。【解決手段】背当て部に固定した金具部１において、軸線の方向に延在する、相互に離間して設けられた、円板４の外側周囲を抱き込む突出部１ａ１ｂが形成されている。戻り止め５がロック解除された状態においても、少なくとも１つの領域でもって、この円板４に当接している。これら突出部１ａ１ｂ、およびこの戻り止め５の当接する領域が、この円板４の支承のために、この円板の周囲にわたって分配されて配設されており、且つこの戻り止め５および円板４が、共通の作用面内において配設されている【選択図】図３
2004097786.tif 000002
【特許請求の範囲】
【請求項１】
自動車座席の背当て部のための自由揺動装置を有する傾斜調節金具であって、この傾斜調節金具において、
背当て部に固定した、軸線（３）を中心として傾斜調節可能な、傾倒可能な金具部（１）が、所望の背当て部傾斜に相応して調節可能な円板（４）を備えており、
この円板が、この円板の外側周囲に有歯部（４ａ）を有しており、
この有歯部が、この背当て部に固定した金具部（１）に軸受された戻り止め（５）の相手方有歯部（５ａ）との協動作用のために、形成されており、
この戻り止めが、係止カム（６）によって負荷可能である様式の上記傾斜調節金具において、
背当て部に固定した金具部（１）において、軸線（３）の方向に延在する、相互に離間して設けられた、円板（４）の外側周囲を抱き込む突出部（１ａ；１ｂ）が形成されていること、および、
戻り止め（５）が、ロック解除された状態においても、少なくとも１つの領域でもって、この円板（４）に当接しており、その際、これら突出部（１ａ；１ｂ）、およびこの戻り止め（５）の当接する領域が、この円板（４）の支承のために、この円板の周囲にわたって分配されて配設されており、且つこの戻り止め（５）および円板（４）が、共通の作用面内において配設されている、
ことを特徴とする傾斜調節金具。
【請求項２】
係止カム（６）、戻り止め（５）、および円板（４）は、共通の面内において配設されていることを特徴とする請求項１に記載の傾斜調節金具。
【請求項３】
背当て部に固定した金具部（１）に、２つの突出部（１ａ；１ｂ）が設けられていることを特徴とする請求項１または２に記載の傾斜調節金具。
【請求項４】
両方の突出部（１ａ；１ｂ）の間に、更に別の突出部（１ｃ）が設けられており、この更に別の突出部は、円板（４）の外側周囲から、ほんの少しだけの間隔を維持しているように構成されていることを特徴とする請求項３に記載の傾斜調節金具。
【請求項５】
突出部（１ａ；１ｂ；１ｃ）は、背当て部に固定した金具部（１）に設けられた軸線方向の型押し加工によって形成されているように構成されていることを特徴とする請求項１から４のいずれか一つに記載の傾斜調節金具。
【請求項６】
戻り止め（５）の相手方有歯部（５ａ）の歯先円は、円板（４）の外側周囲に相応する半径を有していることを特徴とする請求項１から５のいずれか一つに記載の傾斜調節金具。
【請求項７】
戻り止め（５）は、歯付けされていない領域（５ｂ）を有しており、この歯付けされていない領域が、この戻り止めのロック解除された状態において、円板（４）の外側周囲に当接し、且つロックされた状態において、この外側周囲から離間されていることを特徴とする請求項１から６のいずれか一つに記載の傾斜調節金具。
【請求項８】
係止カム（６）は、戻り止め（５）を、ロック解除された状態において、円板（４）の外側周囲に対する当接状態で保持しているように構成されていることを特徴とする請求項１から７のいずれか一つに記載の傾斜調節金具。
【請求項９】
円板（４）は、背当て部に固定した金具部（１）の傾倒角度を制限する、２つのストッパー（４ｂ；４ｃ）を有していることを特徴とする請求項１から８のいずれか一つに記載の傾斜調節金具。
【発明の詳細な説明】
【０００１】
【発明の属する技術分野】
本発明は、特許請求項１の上位概念による傾斜調節金具に関する。
【０００２】
【従来の技術】
公知として前提とされる様式（ドイツ連邦共和国特許第１９７　１５　７６４号明細書）の、揺動伝動機構として形成された傾斜調節金具の場合、内側に歯付けされた金具部は、側方に設けられた軸円板と、強固に結合されており、この軸円板を介して、この内側に歯付けされた金具部が、背当て部に固定した金具部内において、回転可能に軸受されている。この片側の軸受部によって、傾倒モーメントが円板上に作用し、この傾倒モーメントは、動き難さ、および調節およびロック装置、および自由揺動装置の締付けを誘起する。
【０００３】
【発明が解決しようとする課題】
従って、この公知技術を出発点として、本発明の根底をなす課題は、公知として前提とされる様式の傾斜調節金具を、傾倒モーメントの無い軸受部が得られるように形成することである。
【０００４】
【課題を解決するための手段】
この課題は、特許請求項１の特徴でもって解決される。
【０００５】
共通の面に制限された力線によって、傾倒軸線に対して垂直方向に指向する傾倒モーメントは回避される。移動可能な、互いに係合状態にある構造部材は、従って、締付けられず、且つ大きな懸命な努力無しに、相互に解離され得る。磨耗は、最低限である。
【０００６】
本発明の有利な実施形態は、従属請求項から与えられる。
【０００７】
有利な実施形態において、円板のための３点支承が提案され、この３点支承は、所定の、且つ確実な軸受状態を保証する。衝突事故の場合、本発明の更なる実施形態において、付加的な円板の支持部が、通常の場合には担持していない付加的な支承部位によって達せられる。
【０００８】
次に、図に基づいて、本発明の有利な実施形態を詳しく説明する。
【０００９】
【発明の実施の形態】
自動車座席背当て部のための傾斜調節金具は、背当て部に固定した金具部１、および座部に固定した金具部２を有している。実施例として図において図示された傾斜調節金具は、揺動金具であり、この揺動金具の場合、この座部に固定した金具部２において型押し加工された外歯が、この背当て部に固定した金具部１において軸受された円板４の内歯内に係合している。揺動伝動機構において公知の方法において、この外歯の歯先円は、少なくとも１つの歯の高さだけ、この内歯の歯先円よりもより小さく、且つ、この内歯および外歯の歯数が、ほんの少しだけ相互に異なっている。これらの有歯部は、図面内においては図示されていない。これらの有歯部は、偏心輪９によって、係合状態で保持されている。この偏心輪９の全回転は、この背当て部の僅かの傾斜調節を生じさせる。
【００１０】
背当て部に固定した金具部１は、図１により、アダプター８と強固に結合されており、このアダプターが、金具部２を領域的に抱き込んでいる。同じ方法で、この金具部２に固定されたアダプター７が、図２において認めることができるように、この金具部１の下側の縁部を抱き込んでいる。このアダプター７および８によって、傾斜調節金具の部材は、軸線方向で接し合うように隣接して保持される。
【００１１】
背当て部、およびこの背当て部と共にこの背当て部に固定した金具部１は、回転可能にこの金具部１に軸受された円板４を用いて、座部および座部に固定した金具部２に対して、水平方向に指向する軸線３を中心として、前方傾倒される。この円板４は、一方では、２つの突出部１ａと１ｂとの間のこの円板の外側周囲でもって、他方では、戻り止め５でもって、金具部２に、半径方向で保持されている。突出部１ａと１ｂとの間で、更に別の突出部１ｃが設けられており、この突出部は、この円板４と共に、ただ極度の負荷、例えば衝突の場合だけ、当接の状態になる。これら突出部１ａ、１ｂ、および１ｃは、特に図３および４から見て取れるように、この金具部１から型押し加工されている。
【００１２】
戻り止め５は、金具部１において、軸線３に対して平行の旋回軸線５ｃを中心として、旋回可能に軸受されている。背当て部がこの背当て部の直立した使用状態にある場合、この戻り止めは、この戻り止めの相手方有歯部５ａでもって、円板４の外歯の有歯部４ａ内に係合している。この戻り止め５は、歯付けされていない領域５ｂを有しており、この相手方有歯部５ａが有歯部４ａから、この背当て部の傾倒のために抜き取られた場合、この歯付けされていない領域は、この円板４の外歯に当接する。
【００１３】
戻り止め５は、係止カム６によって制御され、この係止カムが、更に別の軸線６ｅを中心として、旋回可能に金具部１に軸受されており、且つこの係止カムが、この係止カムの面において、戻り止め５および円板４と同じような状態にある。この係止カム６は、この係止カムの外周において、ロック領域６ｃおよびロック解除領域６ｄを有している。両方の領域６ｃまたは６ｄでもって、この係止カム６は、絶え間なく、この戻り止め５に当接している。このロック領域６ｃの当接の際、有歯部４ａは、相手方有歯部５ａとの係合状態にある。このロック解除領域６ｄが、この戻り止め５に当接する場合、図７および８から見て取れるように、歯付けされていない領域５ｂ、および相手方有歯部５ａは、円板４の外歯上に静止する。この方法で、この円板４は、背当て部のロック解除された状態、およびロックされた状態において、確実に、突出部１ａおよび１ｂと、戻り止め５との間で軸受されている。
【００１４】
係止カム６において、一方の側面に、操作ボルト６ａが固定されており、この操作ピンは、アダプター８を、スリット内において、貫通している。この操作ボルト６ａに、例えば図示されていないバウデンワイヤーの心線が取り付いており、このバウデンワイヤーは、操作レバーへと背当て部内において案内されており、この操作レバーでもって、この係止カム６が、ばねの力に抗して、旋回される。この同様に図示されていないばねは、ばねピン６ｂに懸架されており、このばねピン６ｂが、金具部１をスリット内において、貫通している。
【００１５】
図７において図示された状態への係止カム６の回転の際、戻り止め５は、相手方有歯部５ａが、有歯部４ａから競り上がり可能である程度に解放される。背当て部の傾倒運動が開始された場合、この戻り止め５は、この有歯部４ａおよび相手方有歯部５ａの噛み合い歯面の勾配によって旋回される。この戻り止め５の旋回角度は、ロック解除領域６ｄによって、円板４に向かって指向する、歯付けされていない領域５ｂが、この円板４の外側周囲に当接するように制限される。この相手方有歯部５ａは、この相手方有歯部の歯頭が、図８による更なる背当て部の傾倒の際、この円板４の外側周囲に当接するように、弧の状態で湾曲されている。この背当て部の傾斜は、この使用状態において、変化されない。何故ならば、この円板４と金具部２との間の揺動伝動機構が解放されていないからである。
【００１６】
背当て部の傾倒角度は、ストッパー４ｃによって制限されており、このストッパーに、戻り止め５が、図９において図示されているように、突き当たる。この背当て部の後方傾倒の際、この戻り止め５は、円板４の第２のストッパー４ｂに突き当たり、この第２のストッパーが、この背当て部の選択された傾斜位置への帰還を保証し、且つ、相手方有歯部５ａを有歯部４ａとの係合状態に旋回する。このことによって、係止カム６は解放され、従って、この係止カムが、ばね力のもとで、この係止カムのロック状態に旋回する。
【図面の簡単な説明】
【図１】内側面からの注視の方向でもっての、傾斜調節金具の透視図である。
【図２】外側面からの注視の方向でもっての、図１による、傾斜調節金具の透視図である。
【図３】図１による、傾斜調節金具の背当て部に固定した金具部の内側面の透視図である。
【図４】アダプターを伴わない、図２による、背当て部に固定した金具部の外側面の透視図である。
【図５】図３による、背当て部に固定した金具部の側面図である。
【図６】図５における、断面ＶＩ−ＶＩに沿っての、傾斜調節金具の断面図である。
【図７】ロック解除された戻り止めを共に示した、図３による、金具部の側面図である。
【図８】部分的に前方に傾倒された背当て部の場合の、図３による、金具部の側面図である。
【図９】完全に前方に傾倒された背当て部の場合の、図３による、背当て部に固定した金具部の側面図である。
【符号の説明】
１　　金具部、　背当て部に固定した金具部
１ａ、１ｂ　突出部
１ｃ　突出部、　更に別の突出部
２　　金具部、　座部に固定した金具部
３　　軸線
４　　円板
４ａ　有歯部
４ｂ　第２のストッパー
４ｃ　ストッパー
５　　戻り止め
５ａ　相手方有歯部
５ｂ　歯付けされていない領域
５ｃ　旋回軸線
６　　係止カム
６ａ　操作ボルト
６ｂ　ばねピン
６ｃ　ロック領域
６ｄ　ロック解除領域
６ｅ　軸線、　更に別の軸線
７　　アダプター
８　　アダプター
９　　偏心輪
【図１】
2004097786.tif 000003
【図２】
2004097786.tif 000004
【図３】
2004097786.tif 000005
【図４】
2004097786.tif 000006
【図５】
2004097786.tif 000007
【図６】
2004097786.tif 000008
【図７】
2004097786.tif 000009
【図８】
2004097786.tif 000010
【図９】
2004097786.tif 000011